(57)【要約】【課題】ガラス付温風暖房機において、ケーシングであるガラス板が何らかの原因より破損が生じた場合における安全性を確保することを目的とする。【解決手段】ガラス板５の内側にマイクロスイッチ１５を設け、そのマイクロスイッチ１５の検知レバーがガラス板５の裏面に接してＯＮ状態になるように配置し、ガラス板５の破損による脱落やガラス板５の取付け忘れなどが生じた場合、マイクロスイッチ１５はＯＦＦ状態となってガラス板５の異常を判断し、運転制御装置１４により運転を停止すべく、バーナー８の燃焼停止と送風ファン１０の一定時間冷却後の駆動停止を行う。【選択図】図１
2007107824.tif 000002
【特許請求の範囲】
【請求項１】
外装を構成するケーシングの一つとなるガラス板と、空気吸気口と温風吹出口を各々一部に設けた他のケーシングと、ガラス板の内側に検知レバーを接するように設けたマイクロスイッチと、燃料を燃焼するバーナーと、燃焼で発生した排ガスと外部の空気を混合した混合空気を外部へ送出す送風ファンと、マイクロスイッチのＯＮ／ＯＦＦ検知によりバーナーの燃焼および送風ファンの駆動を制御する運転制御装置とを有し、ガラス板が破損により脱落した場合にマイクロスイッチがＯＮ状態からＯＦＦ状態への検知をし、運転制御装置によりバーナーでの燃焼を停止し、かつ送風ファンの駆動を一定時間の冷却を行った後に停止することを特徴とするガラス付温風暖房機のガラス破損検知装置。
【請求項２】
前記ガラス板の内側、かつ前記マイクロスイッチ近傍に、常時ガラス板を外側へ押す弾性力を有するスプリングを設け、ガラス板が破損しても脱落しない場合、スプリングの弾性力によりガラス板が外側へ変形するたわみ量ｔ（取付けガタも含む）、マイクロスイッチの検知レバーの作動距離ｓとはｔ≧ｓなる関係をもつことを特徴とする請求項１に記載のガラス付温風暖房機のガラス破損検知装置。
【請求項３】
前記運転制御装置への検出手段として、前記ガラス板の内側に接した衝撃センサーを設け、
ガラス板に衝撃量ｗの衝撃を受け、ガラス板が破損に至ることを想定した衝撃量ｖとはｗ≧ｖなる関係をもつ場合、運転制御装置により前記同動作をすることを特徴とする請求項１に記載のガラス付温風暖房機のガラス破損検知装置。
【請求項４】
前記運転制御装置による前記同動作と、ガラス板の破損をランプにて報知することを特徴とする請求項１に記載のガラス付温風暖房機のガラス破損検知装置。
【請求項５】
前記運転制御装置による前記同動作と、ガラス板の破損をブザーにて報知することを特徴とする請求項１に記載のガラス付温風暖房機のガラス破損検知装置。
【請求項６】
前記運転制御装置による前記同動作後、リセットスイッチにて解除しない限り、再運転に至らないことを特徴とする請求項１に記載のガラス付温風暖房機のガラス破損検知装置。
【請求項７】
前記リセットスイッチをガラス板の内側に設け、ガラス板を取り外さないと解除できない構成としたことを特徴とする請求項６に記載のガラス付温風暖房機のガラス破損検知装置。
【発明の詳細な説明】
【技術分野】
【０００１】
本発明は、外装構成部品にガラスを用いた温風暖房機において、ガラス破損時の安全性に関するものである。
【背景技術】
【０００２】
従来、温風暖房機の前面にガラス板を配し、その後方に発光体を設置して燃焼動作に連動して前記発光体を発光させることで、視覚的に暖房感を高めるようにした温風暖房機がある（例えば、特許文献１参照）。
【０００３】
上記温風暖房機は図５に示すように、外装を構成するケーシングとして、後面に裏板１、前面に前板２、底面に底板３、天面に天板４で囲まれ、前板２の前方に装飾用として周囲端面４方のうちの３方を露出するように設けたガラス板５、裏板１に設けた吸気口６、そこから取入れる空気７、その燃料を燃焼するバーナー８、その燃焼で発生する排ガスと前記空気７とを混合する風路９、その混合された空気を外部へ送出す送風ファン１０、それを駆動するモーター１１、機器前面に設けた吹出口１２、温風１３、前記バーナー８と前記モーター１１を制御する運転制御装置１４の構成からなり、前記前板２には図示しないが燃焼動作に連動して発光する発光体が設けられ、ガラス板５を透して遠くからでも視認できるようにして、燃焼動作の確認及び視覚的に暖房感を高めるようにしている。
【０００４】
上記のように構成された温風暖房機において、従来はガラス板５の破損事故への対応としては、ガラス板５に強化処理を施したり、ガラス板５裏面に飛散防止用フィルムを貼り付けたりしている。
【０００５】
また、ガラス板５がなくても前板２を備えているために密閉性を大きく損なわない構成としてあるため、ガラス板５が破損した場合でも燃焼特性への影響はなく、特に、ガラス破損状態を検出する機構は備えていないものであった。
【０００６】
商品分野は異なるが、電子レンジにおいては、ガラス板の表面に導電性を持つ膜を形成して両端での抵抗値を検知して破壊の有無を判定するものがある（例えば、特許文献２参照）。
【特許文献１】特開２００４−１９８０８３号公報
【特許文献２】特開平９−４８６４０号公報
【発明の開示】
【発明が解決しようとする課題】
【０００７】
しかしながら前記従来の構成および動作では、ガラス板が破損した場合でも通常同様に運転を継続し、かつユーザーが気づかないこともあり得る。そのため機器に触れたり、近づいて脱落したガラス破片を踏んだりなどして怪我の恐れが考えられる。
なお、想定範囲内での燃焼特性は問題ないが、想定範囲外の異常な使用状況下での問題の有無は断定できない。
【０００８】
また、電子レンジの導電性膜形成においては、ガラス板は装飾用のためにメタリックカラーを含めたカラー対応として有機印刷を必要とし、密着性や電気抵抗値ばらつきの発生、飛散防止用フィルムの貼付けがある場合の電気抵抗値測定構成が困難、かつコスト的にも高価になることが考えられる。
【課題を解決するための手段】
【０００９】
前記従来の課題を解決するために、本発明のガラス付温風暖房機のガラス破損検知装置は、ガラス板の内側にマイクロスイッチを設け、そのマイクロスイッチの検知レバーがガラス板の裏面に接してＯＮ状態になるように配置する。
【００１０】
そしてこのマイクロスイッチのＯＮ（電気抵抗ではショート）状態を正常と判断し、通常運転を行う。
【００１１】
一方、ガラス板の破損による脱落やガラス板の取付け忘れなどの場合、マイクロスイッチはＯＦＦ（電気抵抗ではオープン）状態となってガラス板の異常を判断し、運転制御装置により運転を停止すべく、バーナーの燃焼停止と送風ファンの一定時間冷却後の駆動停止を行う。
【発明の効果】
【００１２】
本発明のガラス付温風暖房機のガラス破損検知装置は、本体前面に設けたガラス板の破損状態を直接検出するガラス破損検知装置を設け、前記ガラス破損検知装置からの信号によりバーナの燃焼を停止するようにしているため、安全でインテリア性の高い温風暖房機を提供することができる。
【発明を実施するための最良の形態】
【００１３】
第１の発明は、外装を構成するケーシングの一つとなるガラス板と、空気吸気口と温風吹出口を各々一部に設けた他のケーシングと、ガラス板の内側に検知レバーを接するように設けたマイクロスイッチと、燃料を燃焼するバーナーと、燃焼で発生した排ガスと外部の空気を混合した混合空気を外部へ送出す送風ファンと、マイクロスイッチのＯＮ／ＯＦＦ検知によりバーナーの燃焼および送風ファンの駆動を制御する運転制御装置とを有し、ガラス板が破損により脱落した場合にマイクロスイッチがＯＮ状態からＯＦＦ状態への検知をし、運転制御装置によりバーナーでの燃焼を停止し、かつ送風ファンの駆動を一定時間の冷却を行った後に停止する。
【００１４】
第２の発明は、前記ガラス板の内側、かつ前記マイクロスイッチ近傍に、常時ガラス板を外側へ押す弾性力を有するスプリングを設け、ガラス板が破損しても脱落しない場合、スプリングの弾性力によりガラス板が外側へ変形するたわみ量ｔ（取付けガタも含む）、マイクロスイッチの検知レバーの作動距離ｓとはｔ≧ｓなる関係をもつ。
【００１５】
第３の発明は、前記運転制御装置への検出手段として、前記ガラス板の内側に接した衝撃センサーを設け、ガラス板に衝撃量ｗの衝撃を受け、ガラス板が破損に至ることを想定した衝撃量ｖとはｗ≧ｖなる関係をもつ場合、運転制御装置により前記同動作をする。
【００１６】
第４の発明は、前記運転制御装置による前記同動作と、ガラス板の破損をランプにて報知する。
【００１７】
第５の発明は、前記運転制御装置による前記同動作と、ガラス板の破損をブザーにて報知する。
【００１８】
第６の発明は、前記運転制御装置による前記同動作後、リセットスイッチにて解除しない限り、再運転に至らない。
【００１９】
第７の発明は、前記リセットスイッチをガラス板の内側に設け、ガラス板を取り外さないと解除できない構成とした。
以下、本発明の実施の形態について、図面を参照して説明する。なお、本実施の形態によって本願発明が限定されるものではない。
【００２０】
（実施の形態１）
図１は、本発明の第１の実施の形態におけるガラス付温風暖房機のガラス破損検知装置の構成図、図２は同フローチャートである。
【００２１】
温風暖房機の構成においては、従来同様のため説明を省略する。
【００２２】
図１に示すように、前板２にマイクロスイッチ１５を設け、そのマイクロスイッチ１５のレバーがＯＦＦ状態（フリー状態）から確実に検知する作動距離ｓの位置にガラス板５が接するようにする。
【００２３】
次に、ガラス板５が破損により初期状態の板状の形状を保持できなくなり、ガラス板５の取り付け範囲内でのガタや自重でのたわみにより、マイクロスイッチ１５の設置部分が外方向にｔ移動する。
【００２４】
運転制御装置１４はマイクロスイッチ１５の検知により、バーナー８での燃焼や送風ファン１０の駆動を制御する。
【００２５】
図２に示すように、運転ＳＷがＯＮされると、マイクロスイッチ１５がＯＮ状態であることを検知し、運転制御装置１４によりあらかじめ設定された適量の燃料および駆動電圧を制御し、燃焼と送風を行う。
【００２６】
この際、マイクロスイッチ１５が初期ＯＦＦ状態であれば、ガラス板５が破損しているか取り付けられていないことの判断をし、運転開始には至らない。
【００２７】
次に正常に運転開始後、ガラス板５が破損などによりマイクロスイッチ１５のＯＦＦ検知が検出された場合、運転制御装置１４により即時に燃焼を停止し、送風も所定の冷却時間ａが経過後に停止する。
【００２８】
（実施の形態２）
図３は、本発明の第２の実施の形態におけるガラス付温風暖房機のガラス破損検知装置の構成図、図４は同フローチャートである。
【００２９】
温風暖房機の構成においては、従来同様のため説明を省略する。
【００３０】
図３に示すように、前板２に衝撃センサー１６を設け、ガラス板５に受ける衝撃を検知しやすくするためにガラス板５に接するようにする。
【００３１】
運転制御装置１４は衝撃センサー１６の検知により、バーナー８での燃焼や送風ファン１０の駆動を制御し、かつ天板４に設けた報知装置１７を動作させて報知する。
【００３２】
また、ガラス板５内側、かつ前板２にリセットスイッチ１８を設けた。
【００３３】
図４に示すように、運転ＳＷがＯＮされると、衝撃センサー１６の検知する衝撃量ｗが、ガラス板５が破損に至ることを想定した衝撃量ｖに対して、ｗ＜ｖであることを検知し、運転制御装置１４によりあらかじめ設定された適量の燃料および駆動電圧を制御し、燃焼と送風を行う。
【００３４】
この際、衝撃センサー１６がｗ≧ｖであれば、衝撃センサー１６の異常を判断し、運転開始には至らない。
【００３５】
次に正常に運転開始後、ガラス板  が何らかの衝撃を受けてｗ≧ｖであることを検知した場合、運転制御装置１４により即時に燃焼を停止し、送風も所定の冷却時間ａが経過後に停止する。
【００３６】
また、燃焼を停止すると同時に、報知装置１７も動作してユーザーへの報知を行う。
【００３７】
次に、異常原因のガラス板５の破損などによる不具合を改善して運転を開始しようとする際、リセットスイッチ１８にてリセット検知しなければ運転開始には至らない。
【産業上の利用可能性】
【００３８】
以上のように、本発明におけるガラス付温風暖房機のガラス破損検知装置は、外装を構成するケーシングにガラス板を使用したものにおいて、ガラス板が破損などによる不具合を生じたことを検知することを可能とする。
【図面の簡単な説明】
【００３９】
【図１】本発明の実施の形態１におけるガラス付温風暖房機のガラス破損検知装置の構成図
【図２】同ガラス付温風暖房機のガラス破損検知装置のフローチャート
【図３】本発明の実施の形態２におけるガラス付温風暖房機のガラス破損検知装置の構成図
【図４】同ガラス付温風暖房機のガラス破損検知装置のフローチャート
【図５】従来のガラス付温風暖房機の構成図
【符号の説明】
【００４０】
１  裏板
２  前板
３  底板
４  天板
５  ガラス板
６  吸気口
７  空気
８  バーナー
９  風路
１０  送風ファン
１１  モーター
１２  吹出口
１３  温風
１４  運転制御装置
１５  マイクロスイッチ
１６  衝撃センサー
１７  報知装置
１８  リセットスイッチ
【図１】
2007107824.tif 000003
【図２】
2007107824.tif 000004
【図３】
2007107824.tif 000005
【図４】
2007107824.tif 000006
【図５】
2007107824.tif 000007